(57)【特許請求の範囲】
【請求項１】
集合住宅のエントランスに設置され、来訪者を撮像するためのカメラ（１１）を備えたカメラ付集合玄関機（１）と、前記集合住宅の各住戸内に設置され、前記カメラ付集合玄関機との通話を行なう通話機能、ガスや火災等の非常事態をセンサ（Ｓ）により監視するセキュリティ監視機能および前記カメラで撮像された映像および前記センサからのセキュリティ情報をモニタ（２１）に表示する機能を有する居室親機（２）と、前記カメラ付集合玄関機から前記居室親機への呼出および前記カメラ付集合玄関機、前記居室親機間の通話の制御を行なうためのシステム制御機（４）と、前記カメラ付集合玄関機、前記居室親機間の映像の制御を行なうための映像制御機（５）とを備え、
前記居室親機は、前記来訪者からの呼出に対してフックオフ操作したときに通話を行ない、フックオンした時に終話するハンドセット（３１）と、前記ハンドセットがフックオンしている状態において、前記来訪者からの呼出の応答操作するとハンズフリーで通話を行ない、再度操作したときに終話する通話ボタン（２３）との少なくとも何れか一方と、前記センサからのセキュリティ情報を前記モニタにおいて絵文字、画像若しくは文字で表示するセキュリティ表示制御部（３０ｂ）と、前記センサからのセキュリティ情報を表示する専用表示灯（２５）とを有し、
前記セキュリティ表示制御部は、前記センサから受信したセキュリティ情報に基づいて前記モニタおよび前記専用表示灯で表示している状態において、前記セキュリティ情報を受信してから一定時間経過後は前記専用表示灯のみで表示させるタイマー手段（３０ｔ）を有することを特徴とする集合住宅インターホンシステム。
【請求項２】
集合住宅の各住戸内に設置され、前記カメラ付集合玄関機との通話を行なう通話機能、ガスや火災等の非常事態をセンサ（Ｓ）により監視するセキュリティ監視機能および前記カメラで撮像された映像および前記センサからのセキュリティ情報をモニタ（２１）に表示する機能を有する居室親機（２）と、集合住宅のエントランスに設置され、前記居室親機との通話を行なうとともに来訪者を撮像して映像を前記居室親機のモニタへ伝送するためのカメラ（１１）を備えたカメラ付集合玄関機、前記カメラ付集合玄関機から前記居室親機への呼出および前記カメラ付集合玄関機、前記居室親機間の通話の制御を行なうためのシステム制御機および前記カメラ付集合玄関機、前記居室親機間の映像の制御を行なうための映像制御機を一体化した制御装置一体型カメラ付集合玄関機（１ａ）とを備え、
前記居室親機は、前記来訪者からの呼出に対してフックオフ操作したときに通話を行ない、フックオンした時に終話するハンドセット（３１）と、前記ハンドセットがフックオンしている状態において、前記来訪者からの呼出の応答操作するとハンズフリーで通話を行ない、再度操作したときに終話する通話ボタン（２３）との少なくとも何れか一方と、前記センサからのセキュリティ情報を前記モニタにおいて絵文字、画像若しくは文字で表示するセキュリティ表示制御部（３０ｂ）と、前記センサからのセキュリティ情報を表示する専用表示灯（２５）とを有し、
前記セキュリティ表示制御部は、前記センサから受信したセキュリティ情報に基づいて前記モニタおよび前記専用表示灯で表示している状態において、前記セキュリティ情報を受信してから一定時間経過後は前記専用表示灯のみで表示させるタイマー手段（３０ｔ）を有することを特徴とする集合住宅インターホンシステム。
【請求項３】
集合住宅のエントランスに設置され、来訪者を撮像するためのカメラ（１１）を備えたカメラ付集合玄関機（１）と、前記集合住宅の各住戸内に設置され、前記カメラ付集合玄関機との通話を行なう通話機能、ガスや火災等の非常事態をセンサ（Ｓ）により監視するセキュリティ監視機能および前記カメラで撮像された映像および前記センサからのセキュリティ情報をモニタ（２１）に表示する機能を有する居室親機（２）と、前記カメラ付集合玄関機から前記居室親機への呼出および前記カメラ付集合玄関機、前記居室親機間の通話の制御を行なうためのシステム制御機に前記居室親機からのセキュリティ情報を受信し防火管理者に通報する住棟受信機能を一体化した一体盤（１ｂ）と、前記カメラ付集合玄関機、前記居室親機間の映像の制御を行なうための映像制御機（５）とを備え、
前記居室親機は、前記来訪者からの呼出に対してフックオフ操作したときに通話を行ない、フックオンした時に終話するハンドセット（３１）と、前記ハンドセットがフックオンしている状態において、前記来訪者からの呼出の応答操作するとハンズフリーで通話を行ない、再度操作したときに終話する通話ボタン（２３）との少なくとも何れか一方と、前記センサからのセキュリティ情報を前記モニタにおいて絵文字、画像若しくは文字で表示するセキュリティ表示制御部（３０ｂ）と、前記センサからのセキュリティ情報を表示する専用表示灯（２５）とを有し、
前記セキュリティ表示制御部は、前記センサから受信したセキュリティ情報に基づいて前記モニタおよび前記専用表示灯で表示している状態において、前記セキュリティ情報を受信してから一定時間経過後は前記専用表示灯のみで表示させるタイマー手段（３０ｔ）を有することを特徴とする集合住宅インターホンシステム。
【請求項４】
前記居室親機は、前記カメラ付集合玄関機からの呼出を前記モニタにおいて絵文字、画像若しくは文字で表示するインターホン表示制御部（３０ａ）を有することを特徴とする請求項１乃至請求項３何れか１項記載の集合住宅インターホンシステム。
【請求項５】
前記居室親機は、前記居室親機の番号、前記モニタの明るさやコントラスト、前記センサの接続の有無の設定を行なうための案内表示または設定状態を、前記モニタにおいて絵文字、画像若しくは文字で表示する設定表示制御部（３０ｃ）を有することを特徴とする請求項１乃至請求項４何れか１項記載の集合住宅インターホンシステム。
【発明の詳細な説明】
【０００１】
【発明の属する技術分野】
【０００２】
本発明は、集合住宅インターホンシステムに係り、特に居室親機の施工性が良好で、居室親機に対する配線の省線化を図ることができる集合住宅インターホンシステムに関する。
【従来の技術】
【０００３】
従来から、この種の集合住宅インターホンシステムとして、特開平５−９１５１５号公報に示すような構成のものが知られている。
【０００４】
この集合住宅インターホンシステムは、集合玄関機と、この集合玄関機に同軸ケーブルや平衡ケーブルを介して接続された居室親機とを備えている。
【０００５】
ここで、居室親機は、集合玄関機のテレビカメラで撮像された映像を出画するモニタ部分と、集合玄関機と通話するための通話部分とがセパレートされており、これらのモニタ部分と通話部分に対して同軸ケーブルや平衡ケーブルが接続されている。
【発明が解決しようとする課題】
【０００６】
しかしながら、このような構成の集合住宅インターホンシステムにおいては、居室親機のモニタ部分と通話部分とをそれぞれ別個に施工しなければならないことから、居室親機の施工性が悪く、また、モニタ部分と通話部分に対してそれぞれ別個に配線しなければならないことから、配線数が多くなり、煩雑になるという難点があった。
【０００７】
本発明は、このような難点を解決するためになされたもので、居室親機の施工性が良好で、居室親機に対する配線の省線化を図ることができる集合住宅インターホンシステムを提供することを目的とする。
【課題を解決するための手段】
【０００８】
上記の目的を達成するため、本発明の集合住宅インターホンシステムは、集合住宅のエントランスに設置され、来訪者を撮像するためのカメラを備えたカメラ付集合玄関機と、集合住宅の各住戸内に設置され、カメラ付集合玄関機との通話を行なう通話機能、ガスや火災等の非常事態をセンサにより監視するセキュリティ監視機能およびカメラで撮像された映像およびセンサからのセキュリティ情報をモニタに表示する機能を有する居室親機と、カメラ付集合玄関機から居室親機への呼出およびカメラ付集合玄関機、居室親機間の通話の制御を行なうためのシステム制御機と、カメラ付集合玄関機、居室親機間の映像の制御を行なうための映像制御機とを備えている。
【０００９】
また、本発明の集合住宅インターホンシステムは、集合住宅の各住戸内に設置され、カメラ付集合玄関機との通話を行なう通話機能、ガスや火災等の非常事態をセンサにより監視するセキュリティ監視機能およびカメラで撮像された映像およびセンサからのセキュリティ情報をモニタに表示する機能を有する居室親機と、集合住宅のエントランスに設置され、居室親機との通話を行なうとともに来訪者を撮像して映像を居室親機のモニタへ伝送するためのカメラを備えたカメラ付集合玄関機、カメラ付集合玄関機から居室親機への呼出およびカメラ付集合玄関機、居室親機間の通話の制御を行なうためのシステム制御機およびカメラ付集合玄関機、前記居室親機間の映像の制御を行なうための映像制御機を一体化した制御装置一体型カメラ付集合玄関機とを備えている。
【００１０】
また、本発明の集合住宅インターホンシステムは、集合住宅のエントランスに設置され、来訪者を撮像するためのカメラを備えたカメラ付集合玄関機と、集合住宅の各住戸内に設置され、カメラ付集合玄関機との通話を行なう通話機能、ガスや火災等の非常事態をセンサにより監視するセキュリティ監視機能およびカメラで撮像された映像および前記センサからのセキュリティ情報をモニタに表示する機能を有する居室親機と、カメラ付集合玄関機から居室親機への呼出およびカメラ付集合玄関機、居室親機間の通話の制御を行なうためのシステム制御機に居室親機からのセキュリティ情報を受信し防火管理者に通報する住棟受信機能を一体化した一体盤と、カメラ付集合玄関機、居室親機間の映像の制御を行なうための映像制御機とを備えている。
【００１１】
このような集合住宅インターホンシステムにおいて、居室親機は、来訪者からの呼出に対してフックオフ操作したときに通話を行ない、フックオンした時に終話するハンドセットと、ハンドセットがフックオンしている状態において、来訪者からの呼出の応答操作するとハンズフリーで通話を行ない、再度操作したときに終話する通話ボタンとの少なくとも何れか一方と、センサからのセキュリティ情報をモニタにおいて絵文字、画像若しくは文字で表示するセキュリティ表示制御部と、センサからのセキュリティ情報を表示する専用表示灯とを有し、セキュリティ表示制御部は、センサから受信したセキュリティ情報に基づいてモニタおよび専用表示灯で表示している状態において、セキュリティ情報を受信してから一定時間経過後は専用表示灯のみで表示させるタイマー手段を有する。
【００１２】
また、このような集合住宅インターホンシステムにおいて、居室親機は、カメラ付集合玄関機からの呼出をモニタにおいて絵文字、画像若しくは文字で表示するインターホン表示制御部を有する。
【００１３】
また、このような集合住宅インターホンシステムにおいて、居室親機は、居室親機の番号、モニタの明るさやコントラスト、センサの接続の有無の設定を行なうための案内表示または設定状態を、モニタにおいて絵文字、画像若しくは文字で表示する設定表示制御部を有する。
【００１４】
本発明の集合住宅インターホンシステムによれば、居室親機のモニタ部分と通話部分が一体化されていることから、居室親機の施工性が良好となり、また、一体化された居室親機に対して配線すればよいことから、伝送路の省線化を図ることができる。
【発明の実施の形態】
【００１５】
以下、本発明の集合住宅インターホンシステムを適用した好ましい実施の形態例について、図面を参照して詳述する。
【００１６】
図１において、本発明の集合住宅インターホンシステムは、集合住宅のエントランスに設置されるカメラ付集合玄関機１と、集合住宅の各住戸内に設置される居室親機２と、管理室に設置される管理室親機３と、カメラ付集合玄関機１、居室親機２間の通話の制御を行なうためのシステム制御機４と、カメラ付集合玄関機１、居室親機２間の映像の制御を行なうための映像制御機５と、集合住宅のエントランスに設置されるオートドア６と、映像アダプタ７１を有する住戸アダプタ７と、ドアホン子機を有する中継機８と、共用部に設置される住棟受信機９と、ガスセンサＧＳや火災センサＦＳ等のセンサＳとを備えている。また、火災センサＦＳは例えば第１〜第３の火災センサＦＳａ〜ＦＳｃを備えている。ここで、カメラ付集合玄関機１は、第１〜第３の伝走路Ｌ１〜Ｌ３を介してオートドア６、システム制御機４および映像制御機５にそれぞれ接続され、システム制御機４および映像制御機５には、第４の伝走路Ｌ４および住戸アダプタ７を介して居室親機２が接続されている。また、管理室親機３は第５の伝走路Ｌ５を介してシステム制御機４に、居室親機２は中継機８およびガスセンサＧＳにそれぞれ接続され、中継機８には、第１〜第３の火災センサＦＳａ〜ＦＳｃおよび第６の伝送路Ｌ６を介して住棟受信機９が接続されている。なお、第１〜第６の伝走路Ｌ１〜Ｌ６は、それぞれ通話信号伝走路および映像信号伝走路から成るペア線で構成されている。
【００１７】
カメラ付集合玄関機１は、来訪者を撮像するためのカメラ１１と、テンキー１２と、玄関機スピーカ１３と、玄関機マイク１４と、呼出ボタン１５とを備えている。
【００１８】
また、居室親機２は、図２に示すように、カメラ付集合玄関機１からの映像を出画するモニタ２１と、オートドア６を通話中に解錠信号により解錠する解錠ボタン２２と、カメラ付集合玄関機１からの呼び出しに応答するための通話ボタン２３と、通話部２４と、専用表示灯２５と、非常ボタン２６と、警報音復旧停止ボタン２７と、インターフェース２８と、モニタ駆動回路２９と、各部（回路）を制御する制御部３０とを備えている。また、制御部３０は、カメラ付集合玄関機１からの呼出をモニタ２１において、絵文字、画像、文字等で表示するインターホン表示制御部３０ａと、センサＳからのセキュリティ情報をモニタ２１において、絵文字、画像、文字等で表示するセキュリティ表示制御部３０ｂと、居室親機２の番号、モニタ２１の明るさやコントラスト、センサＳの接続の有無の設定を行なうための案内表示または設定状態を、モニタ２１において絵文字、画像、文字等で表示する設定表示制御部３０ｃとを備えており、また、通話部２４は、通話回路２４ａと、親機スピーカ２４ｂと、親機マイク２４ｃとを備えている。ここで、制御部３０は、モニタ２１、解錠ボタン２２、通話ボタン２３と、通話回路２４、専用表示灯２５、非常ボタン２６、警報音復旧停止ボタン２７、インターフェース２８およびモニタ駆動回路２９に接続され、通話回路２４ａには親機スピーカ２４ｂおよび親機マイク２４ｃが接続されている。
【００１９】
次に、このように構成された本発明の集合住宅インターホンシステムの動作について説明する。
【００２０】
先ず、来訪者が住戸内の居住者を呼出すために、カメラ付集合玄関機１のテンキー１２で居室親機２の部屋番号を入力し、呼出ボタン１５を押下すると、呼出信号が第２の伝送路Ｌ２、システム制御機４、第４の伝送路Ｌ４、住戸アダプタ７およびインターフエース２８を介して制御部３０へ伝送される。そして、この呼出信号が制御部３０で検出されると、通話回路２４ａが制御され、親機スピーカ２４ｂから呼出音が放音される。
【００２１】
また、これと共に、カメラ付集合玄関機１のカメラ１１によって撮像された来訪者の映像信号が第３の伝送路Ｌ３、システム制御機４、第４の伝送路Ｌ４、住戸アダプタ７を構成する映像アダプタ７１およびインターフエース２８を介して制御部３０へ伝送される。そして、この映像信号がインターホン表示制御部３０ａで検出されると、インターホン表示制御部３０ａの制御により、来訪者の映像がモニタ２１に表示される。
【００２２】
ここで、住戸内の居住者が、親機スピーカ２４ｂから放音される呼出音およびモニタ２１に表示される映像に基づいて来訪者を確認して、通話ボタン２３を押下すると、親機スピーカ２４ｂおよび親機マイク２４ｃと、玄関機スピーカ１３および玄関機マイク１４間に通話路が形成され、これにより、来訪者と住戸内の居住者間で通話することが可能になる。なお、来訪者と住戸内の居住者間の通話は、通話ボタン２３の再度の押下により終了する。
【００２３】
そして、住戸内の居住者が解錠ボタン２２を押下すると、制御部３０から、解錠要求信号が出力され、この解錠要求信号が前述の呼出信号と逆の経路を経由してカメラ付集合玄関機１へ伝送される。この解錠要求信号が玄関機ＣＰＵ（不図示）で検出されると、玄関機ＣＰＵから解錠信号が出力され、この解錠信号が第１の伝走路Ｌ１を介してオートドア６へ伝送され、これにより、オートドア６が解錠される。
【００２４】
また、住戸において火災が発生すると、例えば第１の火災センサＦＳａから火災感知信号が出力され、この火災感知信号が中継器８およびインターフエース２８を介して制御部３０へ伝送される。そして、この火災感知信号がセキュリティ表示制御部３０ｂで検出されると、セキュリティ表示制御部３０ｂの制御により、専用表示灯２５が点滅すると共にモニタ２１に、第１の火災センサＦＳａが火災を感知していることを示すセキュリティ情報が表示される。これにより、住戸内の居住者に対して、火災が発生していることが報知される。また、これと共に、セキュリティ表示制御部３０ｂに内蔵されたタイマー手段３０ｔが動作し、セキュリティ情報を受信してから一定時間経過すると、セキュリティ表示制御部３０ｂが制御され、これにより、モニタ２１の表示が終了し、専用表示灯２５のみが点滅することになる。この場合においては、モニタ２１に対して電源の供給が停止されることから、省エネルギー化を図ることができる。
【００２５】
また、これと共に、セキュリティ表示制御部３０ｂから火災発生信号が出力され、この火災発生信号が中継機８および第６の伝送路Ｌ６を介して住棟受信機９へ伝送される。そして、この火災発生信号が住棟受信機９で検出されると、防火管理責任者に対して、住戸に火災が発生していることが通報されると共に、近隣の住戸に対して火災警報が発報される。
【００２６】
なお、前述の本実施例においては、火災の発生を火災センサＦＳで検知する場合について説明しているが、ガス漏れ等の発生をガスセンサＧＳで検知した場合も、前述と同様に、専用表示灯２５が点滅し、また、モニタ２１に、ガス漏れ等の事故が発生していることを示すセキュリティ情報が表示される。
【００２７】
次に、管理室親機３から送出される宅配ロッカー（不図示）に荷物がある等の各種情報は、第５の伝送路Ｌ５、システム制御機４、第４の伝送路Ｌ４、住戸アダプタ７およびインターフエース２８を介して制御部３０へ伝送され、この各種情報が、制御部３０で検出されると、前述のセキュリティ情報の表示と同様に、モニタ２１に絵文字、画像、文字等が表示される。
【００２８】
図３〜図６は、本発明のテレビインターホンシステムの他の実施例を示している。なお、これらの図において、図１および図２と共通する部分には同一の符号を付して詳細な説明を省略する。
【００２９】
図３に示す実施例においては、図２に示す親機スピーカ２４ｂおよび親機マイク２４ｃに代えて、レシーバ３１ａおよびマイク３１ｂで構成されるハンドセット３１が通話回路２４ａに接続されており、また制御部３０にはフックスイッチ３２および呼出音発生回路３３が接続され、この呼出音発生回路３３には拡声スピーカ３４が接続されている。また、図４に示す実施例においては、図２に示す通話回路２４ａにレシーバ３１ａおよびマイク３１ｂで構成されるハンドセット３１がさらに接続され、制御部３０にフックスイッチ３２が接続されている。
【００３０】
図３に示す実施例においては、来訪者からの呼出に対して、ハンドセット３１をフックオフ操作するとフックスイッチ３２が切替えられ、制御部３０の制御により通話回路２４ａが能動となる。これにより、来訪者との通話が可能になる。また、図４に示す実施例においては、図３に示す実施例と同様に、ハンドセット３１のフックオフ操作によりフックスイッチ３２が切替えられて、来訪者との通話が可能になり、また、ハンドセット３１がフックオンしている状態において、来訪者からの呼出に対してハンズフリーで通話を行ない、通話ボタン２３の再度の押下により通話を終了させることができる。
【００３１】
次に、図５に示す実施例においては、図１に示すカメラ付集合玄関機１、システム制御機４および映像制御機５に代えて、これらのカメラ付集合玄関機、システム制御機および映像制御機を一体化した制御装置一体型カメラ付集合玄関機１ａが使用されている。
【００３２】
この実施例においても、前述のテレビインターホンシステムと同様に、制御装置一体型カメラ付集合玄関機１ａから、居室親機２に対して呼出信号および映像信号を、オートドア６に対して解錠信号をそれぞれ伝送することができ、また、居室親機２から、制御装置一体型カメラ付集合玄関機１ａに対して解錠要求信号を伝送することができる。また、居室親機２のモニタ部分と通話部分とが一体化されていることから施工性が良好で、省線化を図り得る集合住宅インターホンシステムを提供することができる。
【００３３】
また、図６に示す実施例においては、図１に示すシステム制御機４に、住棟受信機９における居室親機からのセキュリティ情報を受信し防火管理者に通報する住棟受信機能を一体化した一体盤１ｂが使用されている。
【００３４】
この実施例においても、前述のテレビインターホンシステムと同様に、一体盤１ｂから、居室親機２に対して呼出信号および映像信号を、オートドア６に対して解錠信号をそれぞれ伝送することができ、また、居室親機２から、一体盤１ｂに対して解錠要求信号を伝送することができる。また、居室親機２のモニタ部分と通話部分とが一体化されていることから施工性が良好で、省線化を図り得る集合住宅インターホンシステムを提供することができる。
【発明の効果】
【００３５】
以上の説明から明らかなように、本発明の集合住宅インターホンシステムによれば、居室親機のモニタ部分と通話部分が一体化されていることから、居室親機の施工性が良好となり、また、一体化された居室親機に対して配線すればよいことから、伝送路の省線化を図ることができる。
【図面の簡単な説明】
【図１】  本発明の集合住宅インターホンシステムのシステム構成図。
【図２】  本発明の集合住宅インターホンシステムにおける居室親機のブロック図。
【図３】  本発明の集合住宅インターホンシステムにおける居室親機の他の実施例に係るブロック図。
【図４】  本発明の集合住宅インターホンシステムにおける居室親機の他の実施例に係るブロック図。
【図５】  本発明の集合住宅インターホンシステムの他の実施例に係るシステム構成図。
【図６】  本発明の集合住宅インターホンシステムの他の実施例に係るシステム構成図。
【符号の説明】
1…カメラ付集合玄関機
１ａ…制御装置一体型カメラ付集合玄関機
１ｂ…一体盤
１１…カメラ
２…居室親機
２１…モニタ
２２…通話ボタン
３０ａ…インターホン表示制御部
３０ｂ…セキュリティ表示制御部
３０ｃ…設定表示制御部
２５…専用表示灯
３０ｔ…タイマー手段
３１…ハンドセット
４…システム制御機
５…映像制御機
Ｓ…センサ
【図１】
0003836705.tif 000002
【図２】
0003836705.tif 000003
【図３】
0003836705.tif 000004
【図４】
0003836705.tif 000005
【図５】
0003836705.tif 000006
【図６】
0003836705.tif 000007